(57)【要約】【課題】記録装置において、記録媒体が挿入される挿入口の所望の範囲に記録媒体を案内できるようにすると共に、この範囲を超える位置にも記録媒体を挿入できるようにする。【解決手段】記録媒体に記録を行う記録ヘッド１８を備えたドットインパクトプリンター１０において、記録ヘッド１８により記録可能な範囲として定められた記録可能範囲Ｐ以上の幅を有する手差口１５を有し、手差口１５の幅を、記録可能範囲Ｐよりも小さい幅に規制する用紙ガイド６１を備え、用紙ガイド６１は、用紙ガイド６１を乗り越えて記録媒体Ｓｃを手差口１５に挿入可能とする案内部６４Ｃを備えた。【選択図】図４
2011032003.tif 000002
【特許請求の範囲】
【請求項１】
記録媒体に記録を行う記録部を備えた記録装置において、
前記記録部により記録可能な範囲として定められた記録可能範囲以上の幅を有する挿入口を有し、
前記挿入口の幅を、前記記録可能範囲よりも小さい幅に規制する幅規制部を備え、
前記幅規制部は、該幅規制部を乗り越えて前記記録媒体を前記挿入口に挿入可能とする案内部を有すること、
を特徴とする記録装置。
【請求項２】
記録媒体に記録を行う記録部と、前記記録媒体を挿入する挿入口と、前記挿入口から挿入された前記記録媒体を搬送する搬送部とを備え、
前記挿入口は、前記搬送部によって前記記録媒体が搬送される搬送範囲に対応した幅を有する開口であり、
前記挿入口において前記記録媒体を挿入可能な幅を、より小さい幅に規制する幅規制部を備え、
前記幅規制部は、該幅規制部を乗り越えて前記記録媒体を前記挿入口に挿入可能とする案内部を有すること、
を特徴とする記録装置。
【請求項３】
前記挿入口の縁に連なり、前記挿入口に進入する記録媒体を支持する媒体挿入台を設け、
前記幅規制部は、前記媒体挿入台に立設された凸部であり、
前記案内部は、前記幅規制部の頂部から前記挿入口の奥側に向かって下方に傾斜する斜面で構成されること、
を特徴とする請求項２記載の記録装置。
【請求項４】
前記挿入口から挿入された前記記録媒体の表面を光学的に読み取る読取部を備え、
前記幅規制部は、前記挿入口において前記記録媒体を挿入可能な幅を、前記読取部の読み取り可能範囲に合わせて規制すること、
を特徴とする請求項２または３記載の記録装置。
【請求項５】
前記挿入口から挿入された前記記録媒体の向きを、前記搬送部による搬送方向に沿って整える整列機構を備え、
前記整列機構は、前記記録媒体の後端が前記挿入口から突出する位置で前記記録媒体の向きを整えること、
を特徴とする請求項２から４のいずれかに記載の記録装置。
【請求項６】
前記幅規制部を前記挿入口の幅方向の一端側に設け、
前記挿入口の他端側に、前記幅規制部の前記案内部と略同一高さで前記記録媒体が乗り越え可能な支持部を設けたこと、
を特徴とする請求項２から５のいずれかに記載の記録装置。
【請求項７】
前記支持部の下方には、前記搬送部によって搬送される前記記録媒体が通過可能な空間が形成され、
前記支持部は、前記空間を通過する前記記録媒体の上方から前記記録媒体を押さえる上面ガイドを備えること、
を特徴とする請求項６に記載の記録装置。
【発明の詳細な説明】
【技術分野】
【０００１】
本発明は、記録媒体が挿入される挿入口を備えた記録装置に関する。
【背景技術】
【０００２】
従来、記録装置において、挿入口における記録媒体の位置を特定の位置に保持するため、記録媒体の給紙台に、記録媒体の幅方向の端を案内するガイドを設けたものが知られている。このガイドは、例えば、様々なサイズの記録媒体に対応するためにスライド可能に構成されている（例えば、特許文献１参照）。
【先行技術文献】
【特許文献】
【０００３】
【特許文献１】特開平１１−２９２３４７号公報
【発明の概要】
【発明が解決しようとする課題】
【０００４】
ところで、記録媒体を案内すべき範囲が限られている場合には、記録媒体の幅方向の端を案内するガイドを広範囲で自在にスライド可能にする必要性が薄い。このため、ガイドの位置を固定的にして、構造を単純化することが望ましいが、ガイドを固定してしまうと、ガイドの位置を超えるサイズの記録媒体の使用の妨げになってしまうという問題がある。また、ガイドにより案内される範囲を超えた位置に記録媒体を挿入することも困難になってしまうという問題がある。
本発明は、上述した事情に鑑みてなされたものであり、記録媒体が挿入される挿入口の所望の範囲に記録媒体を案内するとともに、この範囲を超える位置に記録媒体を挿入することも可能な記録装置を提供することを目的とする。
【課題を解決するための手段】
【０００５】
上記目的を達成するため、本発明は、記録媒体に記録を行う記録部を備えた記録装置において、前記記録部により記録可能な範囲として定められた記録可能範囲以上の幅を有する挿入口を有し、前記挿入口の幅を、前記記録可能範囲よりも小さい幅に規制する幅規制部を備え、前記幅規制部は、該幅規制部を乗り越えて前記記録媒体を前記挿入口に挿入可能とする案内部を有することを特徴とする記録装置を提供する。
この構成によれば、挿入口の幅が幅規制部によって記録部の記録可能範囲よりも小さい幅に規制されるため、記録可能範囲よりも小さい所望の範囲に記録媒体を案内できる。さらに、幅規制部が有する案内部を乗り越えて記録媒体を挿入可能であるため、幅規制部に挿入口の幅を規制されないようにして所望の位置に記録媒体を挿入することもできる。これにより、記録媒体が挿入される挿入口の所望の範囲に記録媒体を案内すると共に、この範囲を超える位置に記録媒体を挿入することもできる。
【０００６】
また、本発明は、記録媒体に記録を行う記録部と、前記記録媒体を挿入する挿入口と、前記挿入口から挿入された前記記録媒体を搬送する搬送部とを備え、前記挿入口は、前記搬送部によって前記記録媒体が搬送される搬送範囲に対応した幅を有する開口であり、前記挿入口において前記記録媒体を挿入可能な幅を、より小さい幅に規制する幅規制部を備え、前記幅規制部は、該幅規制部を乗り越えて前記記録媒体を前記挿入口に挿入可能とする案内部を有することを特徴とする記録装置を提供する。
この構成によれば、挿入口の幅が幅規制部によって搬送部の搬送範囲よりも小さい幅に規制されるため、搬送範囲よりも小さい所望の範囲に記録媒体を案内できる。さらに、幅規制部が有する案内部を乗り越えて記録媒体を挿入可能であるため、幅規制部に挿入口の幅を規制されないようにして所望の位置に記録媒体を挿入することもできる。これにより、記録媒体が挿入される挿入口の所望の範囲に記録媒体を案内できると共に、この範囲を超える位置に記録媒体を挿入することもできる。
【０００７】
また、前記挿入口の縁に連なり、前記挿入口に進入する記録媒体を支持する媒体挿入台を設け、前記幅規制部は、前記媒体挿入台に立設された凸部であり、前記案内部は、前記幅規制部の頂部から前記挿入口の奥側に向かって下方に傾斜する斜面で構成されても良い。
この場合、案内部が挿入口の奥側に向かって下方に傾斜した斜面で構成され、記録媒体が斜面に沿うように案内されるため、記録媒体を挿入口の奥側にスムーズに挿入できる。また、記録媒体が挿入口から排出される際に斜面に沿うように排出されるため、記録媒体が幅規制部に引っ掛かることが無く、記録媒体をスムーズに排出できる。
さらに、前記挿入口から挿入された前記記録媒体の表面を光学的に読み取る読取部を備え、前記幅規制部は、前記挿入口において前記記録媒体を挿入可能な幅を、前記読取部の読み取り可能範囲に合わせて規制しても良い。
この場合、幅規制部によって、挿入口の幅が読取部の読み取り可能範囲に合わせて規制され、記録媒体が読取部の読み取り可能範囲に案内されるため、確実に記録媒体の情報を読み取りできる。
【０００８】
さらにまた、前記挿入口から挿入された前記記録媒体の向きを、前記搬送部による搬送方向に沿って整える整列機構を備え、前記整列機構は、前記記録媒体の後端が前記挿入口から突出する位置で前記記録媒体の向きを整えても良い。
この場合、整列動作が記録媒体の後端が挿入口から突出する位置機構で行われ、整列の際に幅規制部によって記録媒体の移動可能な範囲が規制されるため、記録媒体が整列動作の影響を受けて搬送されるべき位置からずれてしまうことを防止できる。
【０００９】
また、前記幅規制部を前記挿入口の幅方向の一端側に設け、前記挿入口の他端側に、前記幅規制部の前記案内部と略同一高さで前記記録媒体が乗り越え可能な支持部を設けても良い。
この場合、挿入口の幅方向の一端側に幅規制部を設け、他端側に幅規制部の案内部と略同一高さで記録媒体が乗り越え可能な支持部を設けたため、記録媒体を幅方向に渡って略同一高さで支持でき、記録媒体を略水平な状態で案内できる。このため、記録媒体をスムーズに搬送できる。
また、前記支持部の下方には、前記搬送部によって搬送される前記記録媒体が通過可能な空間が形成され、前記支持部は、前記空間を通過する前記記録媒体の上方から前記記録媒体を押さえる上面ガイドを備えても良い。
この場合、支持部の下方の空間を通して記録媒体を挿入できるため、挿入口の幅に影響を及ぼすことなく支持部を設けることができる。また、上面ガイドによって記録媒体を上方から押さえるため、記録媒体の浮き上がりを防止できる。
【発明の効果】
【００１０】
本発明によれば、記録装置において、記録媒体が挿入される挿入口の所望の範囲に記録媒体を案内できると共に、この範囲を超える位置に記録媒体を挿入することもできる。
【図面の簡単な説明】
【００１１】
【図１】第１の実施の形態のドットインパクトプリンターの外観斜視図である。
【図２】プリンター本体を示す斜視図である。
【図３】プリンター本体の側断面図である。
【図４】プリンター本体の前部を示す平面図である。
【図５】プリンター本体の前部の側断面図である。
【図６】第２の実施の形態のドットインパクトプリンターの正面図である。
【発明を実施するための形態】
【００１２】
以下、本発明の実施形態について図面を参照して説明する。
［第１の実施の形態］
図１は、第１の実施の形態に係るドットインパクトプリンター（記録装置）の外観を示す正面斜視図である。図２は、プリンター本体１１を示す外観斜視図である。図３は、図１のドットインパクトプリンター１０を示す側断面図である。
図１に示す記録装置としてのドットインパクトプリンター１０は、記録ヘッド１８（図２、図３参照）が備える複数の記録ワイヤーを、リボンカートリッジ（図示略）から繰り出したインクリボン（図示略）を介して記録媒体Ｓａに押し付け、この記録媒体Ｓａの記録面上にドットを形成することにより、文字や記号、画像等を記録するものである。
また、ドットインパクトプリンター１０は、光学読取装置２００（図３参照）を有し、この光学読取装置２００によって記録媒体Ｓａの表面に表示された文字や記号、画像等を読み取り可能である。
以下の説明では、図３中の左側をフロント（前）側とし、図３中の右側をリア（後）側とする。
【００１３】
ドットインパクトプリンター１０で使用可能な記録媒体としては、所定長さに切断されたカットシートと、複数枚が連接された連続シートとがある。カットシートとしては、例えば単票紙や単票複写紙などの他、通帳や葉書、封筒、カードなどがあり、連続シートは複数枚の紙が連接された連続紙や複写紙が連接された連続複写紙等を含む。
図１に示す記録媒体Ｓａは通帳であり、ここでいう通帳とは、複数枚の記録用紙が綴じられた冊子形態となっており、この冊子を開いた内側の面が記録面となっている。さらに、通帳の裏表紙には、磁気ストライプＭＳが設けられている。この磁気ストライプＭＳには磁気的に各種情報を記録し、読み取ることが可能である。
なお、以下の説明において、矩形の記録媒体Ｓａの４辺のうち、ドットインパクトプリンター１０へ向かって差し込まれる側の辺を先端とし、この先端と対向する側の辺を後端とする。
【００１４】
ドットインパクトプリンター１０は、図１に示すように、外装体としての上部カバー１２、上部ケース１３及び下部ケース１４を備えており、上部ケース１３及び下部ケース１４の前面には、記録媒体Ｓａを挿入あるいは排出する手差口１５（挿入口）が開口している。また、下部ケース１４には、手差口１５から前側に突出した媒体挿入台６０が設けられている。
ドットインパクトプリンター１０は、図２に示すように、上部カバー１２、上部ケース１３及び下部ケース１４に覆われるプリンター本体１１を有している。このプリンター本体１１は、下本体部１１Ａと、この下本体部１１Ａの後端部に軸１１Ｃで支持される上本体部（図示略）とを備え、下本体部１１Ａは、上部ケース１３及び下部ケース１４（図１）に収納される。上記上本体部は、上本体部の左側面に設置されている開閉レバー（図示略）の操作によって回転され、上本体部が開かれるとプリンター本体１１内部が露出される。
【００１５】
図２及び図３に示すように、プリンター本体１１は、ベースフレーム１６、右サイドフレーム１７Ａ及び左サイドフレーム１７Ｂを備えた本体フレームと、記録ヘッド１８（記録部）及びキャリッジ１９を備えた記録機構部２０と、プラテン２１、第１駆動ローラー２２Ａ、第１従動ローラー２２Ｂ、第２駆動ローラー２３Ａ、第２従動ローラー２３Ｂ、第３駆動ローラー１２４Ａ、第３従動ローラー１２４Ｂ、下案内面２４Ａ、上案内面２４Ｂ、媒体搬送モーター２６及び駆動輪列部２７を備えた搬送機構１００（搬送部）と、記録媒体Ｓａを整列させる整列板２８を備えた整列機構３０と、記録媒体Ｓａの磁気ストライプＭＳに記録された情報の読み取りを行う磁気ヘッド３４を備えた磁気データ読書部２９と、磁気ストライプＭＳの読み取りを含む磁気情報処理の実行時に、記録媒体Ｓａの浮き上がりを抑制すべく、記録媒体Ｓａ上から押える媒体押え部３５と、を有している。
また、光学読取装置２００は、表面スキャナー１１１（読取部）、裏面スキャナー１１２（読取部）、及び、搬送機構１００を備えて構成される。
【００１６】
ベースフレーム１６の略両端部には、右サイドフレーム１７Ａ及び左サイドフレーム１７Ｂが立設されている。これら両サイドフレーム１７Ａ、１７Ｂの間には、キャリッジガイド軸３１が架け渡されると共に、両サイドフレーム１７Ａ、１７Ｂ間に平坦な下案内面２４Ａが固定して設けられる。そして、下案内面２４Ａの上方には、下案内面２４Ａに対向して上案内面２４Ｂが配設されている。下案内面２４Ａと上案内面２４Ｂとの間の空間は、記録媒体Ｓａが搬送される搬送路Ａを構成し、この搬送路Ａは、プラテン２１の前方側に位置する前媒体案内部２４、及び、プラテン２１の後方側に位置する後媒体案内部２５を有している。手差口１５から挿入された記録媒体Ｓａは、前媒体案内部２４を通ってプラテン２１の側へ、或いは、プラテン２１を越えて後媒体案内部２５の表面スキャナー１１１側へ搬送される。
プラテン２１の上方には、プラテン２１に対向するように記録ヘッド１８が配置されている。
【００１７】
キャリッジ１９は、キャリッジガイド軸３１に摺動自在に挿通され、当該キャリッジ１９を駆動するキャリッジ駆動モーター（図示略）の正転又は逆転により、無端形状の駆動ベルト（図示略）を介して駆動され、キャリッジガイド軸３１に案内されて往復移動される。キャリッジ１９の移動方向は、図１中符号Ｘで示す方向、すなわち、キャリッジガイド軸３１の軸方向及びプラテン２１の長手方向と一致する主走査方向である。また、キャリッジ１９の移動（走査）範囲は、一対のサイドフレーム１７Ａ、１７Ｂの間である。なお、キャリッジ１９の主走査方向Ｘに直交する方向、すなわち図１中符号Ｙで示す方向を、副走査方向とする。
キャリッジ１９に搭載される記録ヘッド１８は、キャリッジ１９と共に主走査方向に走行される間に、その先端面においてプラテン２１に対向するワイヤー突出部（図示略）から記録ワイヤーを突出させてインクリボンに打ち当て、このインクリボンのインクを、プラテン２１と記録ヘッド１８との間に搬送される記録媒体Ｓａに付着させて、記録媒体Ｓａに記録を行う。このインクリボンは、上記の本体フレーム又はキャリッジ１９に装着されるリボンカートリッジ（図示略）内に折り畳まれて収納され、キャリッジ１９の走査に伴って繰り出される。
プラテン２１は、キャリッジ１９の走行方向に延在して平面形状に形成され、その両端が、付勢ばね４１により記録ヘッド１８に向けて付勢されると共に弾性支持され、搬送される記録媒体の厚さに応じて上下に変位する。
【００１８】
搬送機構１００は、第１駆動ローラー２２Ａ、第１従動ローラー２２Ｂが、プラテン２１及び記録ヘッド１８に対してプリンター本体１１のフロント側に配置され、第２駆動ローラー２３Ａ、第２従動ローラー２３Ｂが、プラテン２１及び記録ヘッド１８に対してプリンター本体１１のリア側に配置され、第３駆動ローラー１２４Ａ、第３従動ローラー１２４Ｂが、表面スキャナー１１１のリア側に配置されて構成される。第１駆動ローラー２２Ａと第１従動ローラー２２Ｂとは、上下方向に配置されて対をなし、第２駆動ローラー２３Ａと第２従動ローラー２３Ｂとは、上下方向に配置されて対をなし、第３駆動ローラー１２４Ａと第３従動ローラー１２４Ｂとは、上下方向に配置されて対をなす。
第１駆動ローラー２２Ａ、第２駆動ローラー２３Ａ及び第３駆動ローラー１２４Ａは、媒体搬送モーター２６及び駆動輪列部２７によって回転駆動される駆動ローラーであり、第１従動ローラー２２Ｂ、第２従動ローラー２３Ｂ及び第３従動ローラー１２４Ｂは、それぞれ第１駆動ローラー２２Ａ、第２駆動ローラー２３Ａ、及び、第３駆動ローラー１２４Ａ側に所定の押圧力でばね４２Ａ、４２Ｂ、４２Ｃによりばね付勢されている従動ローラーである。これによって、第１駆動ローラー２２Ａと第１従動ローラー２２Ｂとが互いに反対方向に回転駆動され、第２駆動ローラー２３Ａと第２従動ローラー２３Ｂとが互いに反対方向に回転駆動され、第３駆動ローラー１２４Ａと第３従動ローラー１２４Ｂとが互いに反対方向に回転駆動される。
【００１９】
第１駆動ローラー２２Ａは、記録媒体Ｓａの幅方向に延びる第１ローラー軸３２に円筒状のローラー２が複数挿通されて構成されている。各々のローラー２は、第１ローラー軸３２の軸方向に互いに略等間隔をあけて配設され、下案内面２４Ａの開口から搬送路Ａ内に露出している。また、第１従動ローラー２２Ｂ、第２駆動ローラー２３Ａ、第２従動ローラー２３Ｂ、第３駆動ローラー１２４Ａ及び第３従動ローラー１２４Ｂも第１駆動ローラー２２Ａと同様に、軸に対してローラーが複数挿通されて構成されている。第１従動ローラー２２Ｂ、第２駆動ローラー２３Ａ、第２従動ローラー２３Ｂ、第３駆動ローラー１２４Ａ及び第３従動ローラー１２４Ｂの各々において各ローラー２が設けられた位置は、軸方向において第１駆動ローラー２２Ａの各ローラー２と同一の位置である。
【００２０】
駆動輪列部２７は、図２に示すように、右サイドフレーム１７Ａの外側に配置される。この駆動輪列部２７は、正転及び逆転可能な媒体搬送モーター２６の駆動軸に回転一体に固定されたモーターピニオン５１を備える。このモーターピニオン５１からの駆動力が、減速ギア５２、第２駆動ギア５３Ｂ、中間ギア５４、第１駆動ギア５３Ａ、及び、駆動ベルト（図示略）等によって各駆動ローラーを同一方向に回転させ、記録媒体Ｓａをプリンター本体１１内に搬送する。図３に示す第１駆動ローラー２２Ａ、第２駆動ローラー２３Ａ、及び、第３駆動ローラー１２４Ａは、媒体搬送モーター２６が正転している場合、副走査方向に沿って、図３中符号Ｆで示すようにプリンター本体１１内に記録媒体Ｓａを搬送し、媒体搬送モーター２６が逆転している場合、図３中符号Ｒで示すように、プリンター本体１１内から排出する方向に記録媒体Ｓａを搬送する。
【００２１】
整列機構３０は、記録ヘッド１８により記録媒体Ｓａに記録を行う前に、或いは、光学読取装置２００により記録媒体Ｓａを読み取る前に記録媒体Ｓａを整列する機構である。
整列機構３０は、第１駆動ローラー２２Ａ、第１従動ローラー２２Ｂ、前媒体案内部２４、整列板２８、及び整列板２８を駆動する整列モーター（図示略）を備えて構成される。整列機構３０は、搬送路Ａに突出した整列板２８に対し、記録媒体Ｓａの先端部を突き当てることで記録媒体Ｓａの向きを変え、記録媒体Ｓａの向きが搬送方向に沿うように整列する。また、整列機構３０は、記録媒体の後端が手差口１５から突出する位置で整列動作を行う。
【００２２】
そして、ドットインパクトプリンター１０は、記録ヘッド１８の走査位置の近傍において記録媒体Ｓａを検出する各種センサーを備えている。
第１駆動ローラー２２Ａの近傍には、搬送路Ａにおける記録媒体Ｓａの有無を検出する媒体検出センサー４７が、キャリッジ１９の主走査方向に沿って複数設置されている。媒体検出センサー４７は、搬送路Ａに向けて光を発する光源と、その反射光を検出する受光部とを備えた反射型光センサー、或いは、搬送路Ａを挟んで対向するように光源と受光部とを配した透過型光センサーである。媒体検出センサー４７は、手差口１５からの記録媒体Ｓａの挿入、及び、プリンター本体１１内からの記録媒体Ｓａの排出完了を検出するためのセンサーである。
キャリッジ１９には、記録媒体Ｓａの幅を検出する媒体幅センサー５５が搭載され、この媒体幅センサー５５はキャリッジ１９と共にプラテン２１上を走査される。従って、キャリッジ１９の走査時に媒体幅センサー５５よって記録媒体Ｓａの幅方向の端を検出し、その検出位置とキャリッジ１９の走査位置とを対応付けることにより、記録媒体Ｓａの位置を求めることができる。
すなわち、ドットインパクトプリンター１０では、媒体幅センサー５５によって記録媒体Ｓａの位置を検出可能なため、検出された記録媒体Ｓａの位置に対応させてキャリッジ１９を制御することで、記録媒体Ｓａが挿入された位置にかかわらず、記録ヘッド１８による記録を行うことができ、さらに、光学読取装置２００による読み取りを行うことができる。つまり、ドットインパクトプリンター１０においては、手差口１５の幅方向の任意の位置から記録媒体Ｓａを挿入して記録及び読み取りを実行できる。
【００２３】
また、第１駆動ローラー２２Ａの後方には、キャリッジ１９の主走査方向に沿って、８個の整列検出センサー５８が互いに間隔をあけて並べて配設される。これら８個の整列検出センサー５８は、例えば、媒体検出センサー４７と同様に、搬送路Ａを挟んで上下に対向する発光部（ＬＥＤ等）と受光部（フォトトランジスター等）により構成され、記録媒体Ｓａの有無を検出する。これら整列検出センサー５８は、整列板２８が搬送路Ａに突出した状態で、整列板２８に突き当てられた記録媒体Ｓａの有無を検出する。これにより、整列検出センサー５８の出力に基づいて、整列板２８による整列後の記録媒体Ｓａの搬送方向に対する傾きが、許容される傾きの範囲内にあるか否かを判定することができる。例えば、主走査方向に並ぶ整列検出センサー５８のうち、隣り合う２個が記録媒体Ｓａを同時に検出した場合、整列が完了したと判断される。
また、ドットインパクトプリンター１０は、媒体搬送モーター２６の駆動制御、キャリッジ１９の走行制御、記録ヘッド１８の記録ワイヤーによる記録動作の制御、光学読取装置２００の読み取り動作の制御等、ドットインパクトプリンター１０の全体を制御する制御部として、例えばプリンター本体１１の後側の下方に、制御基板部（図示略）を備えている。
【００２４】
ここで、ドットインパクトプリンター１０の整列に関わる動作を説明する。まず、電源投入時、整列板２８が搬送路Ａに突出する。次にドットインパクトプリンター１０は、手差口１５から挿入される記録媒体Ｓａを媒体検出センサー４７によって検出すると、第１駆動ローラー２２Ａを駆動する。そして、記録媒体Ｓａは、第１駆動ローラー２２Ａ及び第１従動ローラー２２Ｂにより搬送され、整列板２８に対し先端部が突き当てられて整列が行われる。その後、ドットインパクトプリンター１０は、整列板２８の前に並ぶ各整列検出センサー５８によって記録媒体Ｓａの先端部の状態を検出し、整列が正しく実施されたか否かを判定する。この判定により、記録媒体Ｓａの整列が正しく実施されたと判断された場合には、記録媒体Ｓａを記録ヘッド１８又は光学読取装置２００へ搬送し、記録或いは読み取りを実行する。一方、記録媒体Ｓａの整列が正しく実施されていないと判断された場合には、ドットインパクトプリンター１０は再度、整列動作を行うことができ、さらに、繰り返し整列動作を行っても整列ができなければ、記録媒体Ｓａを手差口１５から排出する。
【００２５】
図３に示すように、裏面スキャナー１１２は、記録媒体Ｓａの裏面側に記録されている文字や記号、画像等の情報を読み取るイメージセンサーである。表面スキャナー１１１は、裏面スキャナー１１２と対向する位置に配置され、記録媒体Ｓａの表面側に記録されている情報を読み取るイメージセンサーである。表面スキャナー１１１及び裏面スキャナー１１２は、第２駆動ローラー２３Ａと第３駆動ローラー１２４Ａとの間に配置され、搬送中の記録媒体Ｓａの情報を連続的に読み取る。表面スキャナー１１１及び裏面スキャナー１１２は、例えば、ＣＩＳ（Contact Image Sensor）型の画像読取センサーであり、記録媒体Ｓａに密着する平坦なガラス面１１１Ａ、１１２Ａと、ＬＥＤ等の光源から出力される光を記録媒体Ｓａの読み取り領域に対して照射する照射部（図示略）と、主走査方向（Ｘ方向）に一列に配列された複数の受光センサー（図示略）と、この受光センサーからの信号を上記制御基板部に出力する出力部（図示略）と、をそれぞれ備えて構成される。ここでは表面スキャナー１１１及び裏面スキャナー１１２としてＣＩＳ型を用いたが、ＣＣＤ（Charge Coupled Device）型を用いてもよい。
【００２６】
また、図２に示すように、裏面スキャナー１１２はプラテン２１と略平行にドットインパクトプリンター１０の幅方向に延在して長手形状に構成され、ガラス面１１２Ａが下案内面２４Ａの開口から後媒体案内部２５に露出している。
表面スキャナー１１１は、図３に示すように、ガラス面１１１Ａがガラス面１１２Ａに対向するように裏面スキャナー１１２の上方に設けられ、幅方向においても裏面スキャナー１１２と略同一の長さの長手形状に形成されている。表面スキャナー１１１の上部には付勢部材１１３が設けられ、表面スキャナー１１１は、付勢部材１１３によって後媒体案内部２５の記録媒体Ｓａに対して近接するように付勢されている。また、付勢部材１１３は、表面スキャナー１１１を幅方向に渡って略均一な力で裏面スキャナー１１２側に押し付けている。ここで、付勢部材１１３としては、コイルばねや板ばね、弾性を有するエラストマー等を使用することができる。
また、ガラス面１１１Ａとガラス面１１２Ａとの間には、所定の厚さの記録媒体が入り込み可能な間隔が設けられており、記録媒体Ｓａを読み取る際には、搬送された記録媒体Ｓａによって表面スキャナー１１１が上方に押し退けられ、付勢部材１１３が縮むことによりガラス面１１１Ａとガラス面１１２Ａとの間を記録媒体Ｓａが通過可能となる。すなわち、光学読取装置２００では、付勢部材１１３によって付勢された表面スキャナー１１１によって記録媒体Ｓａを裏面スキャナー１１２側に押し付けることで、記録媒体Ｓａとガラス面１１１Ａ、１１２Ａとを確実に密着させて、読み取り品質を向上させている。
【００２７】
図４は、プリンター本体１１を示す平面図である。
ところで、ドットインパクトプリンター１０は、図４に示すように、記録媒体Ｓａよりも大きな幅を有する記録媒体Ｓｂや、記録媒体Ｓｂよりも大きな幅を有する記録媒体Ｓｃを用いることも可能である。ここで、記録媒体Ｓｂは、一例として、Ａ４サイズの用紙であり、２１０（ｍｍ）の用紙幅を有し、記録媒体Ｓｃは、一例として、２１６（ｍｍ）の用紙幅を有するＡ４リーガルサイズよりも大きな幅を有する用紙である。記録媒体Ｓｂ及び記録媒体Ｓｃの表裏の面には表面スキャナー１１１及び裏面スキャナー１１２によって読み取られるべき情報がそれぞれ記録されている。
【００２８】
搬送路Ａに連通した手差口１５には、手差口１５の縁に連なって前方に略水平に突出した媒体挿入台６０が設けられ、この媒体挿入台６０の上面の媒体セット面６０Ａは、キャリッジ１９（図３参照）の走行可能範囲に対応して幅広に形成され、主走査方向に沿って延在している。媒体セット面６０Ａは、手差口１５に挿入される記録媒体を下方から支持し、記録媒体の挿入を安定させている。媒体セット面６０Ａの幅方向の両端には、媒体セット面６０Ａよりも上方に突出した段部６２Ａ、６２Ｂがそれぞれ設けられている。これら段部６２Ａ、６２Ｂの間の間隔である搬送範囲Ｗは手差口１５の幅に一致し、手差口１５に挿入して搬送機構１００により搬送可能な記録媒体の最大幅を規定している。この搬送範囲Ｗの大きさ及び幅方向の位置は、キャリッジガイド軸３１に沿って幅方向に走査される記録ヘッド１８の記録可能範囲Ｐに一致している。ここでは、搬送範囲Ｗの幅、すなわち、手差口１５の幅は、記録可能範囲Ｐに一致しているものとして説明したが、手差口１５の幅は記録可能範囲Ｐの幅以上であっても良い。
また、媒体挿入台６０の幅方向の左端側（一端側）に設けられた段部６２Ａは、記録媒体の幅方向の端を案内するガイドとして機能する。
【００２９】
媒体挿入台６０には、記録媒体Ｓｂの搬送方向に平行に延びる用紙ガイド６１（幅規制部）が設けられている。用紙ガイド６１は、媒体セット面６０Ａに立設された凸部であり、媒体挿入台６０の幅方向の右端側（他端側）に位置している。用紙ガイド６１の内側面は記録媒体を案内する案内面６３となっている。
用紙ガイド６１は、段部６２Ａとの間に所定の幅に設定された間隔Ｌをあけて配置されている。詳細には、間隔Ｌは、記録媒体Ｓｂを案内可能なように記録媒体Ｓｂの用紙幅よりも僅かに大きく形成されており、用紙ガイド６１は、記録媒体Ｓｂの挿入位置を左端側の段部６２Ａ寄りに規制している。また、間隔Ｌは搬送範囲Ｗよりも狭く形成されており、用紙ガイド６１は、記録ヘッド１８の記録可能範囲Ｐよりも狭い記録可能範囲の端位置に対応した位置に配置されている。すなわち、用紙ガイド６１は、手差口１５の幅を記録可能範囲Ｐの幅よりも小さい幅に規制している。
【００３０】
図４に示すように、ドットインパクトプリンター１０の幅方向において、表面スキャナー１１１及び裏面スキャナー１１２の読取可能範囲Ｔ（読み取り可能範囲）の一端は、段部６２Ａの位置に一致し、読取可能範囲Ｔの他端は、用紙ガイド６１における案内面６３の位置に一致している。すなわち、用紙ガイド６１は読取可能範囲Ｔに記録媒体Ｓｂを案内する位置に設けられ、左端側の段部６２Ａ及び用紙ガイド６１に案内されて搬送された記録媒体Ｓｂは、必ず表面スキャナー１１１及び裏面スキャナー１１２の読取可能範囲Ｔ内に搬送されるため、確実に読み取りを行うことができる。また、記録媒体Ｓａのような、記録媒体Ｓｂよりも幅が狭い記録媒体の読み取りを行う場合においても、用紙ガイド６１によって挿入位置が規制され、段部６２Ａと用紙ガイド６１との間に記録媒体が挿入されるため、表面スキャナー１１１及び裏面スキャナー１１２の読取可能範囲Ｔ内に確実に記録媒体を搬送できる。
【００３１】
図５は、プリンター本体１１の前部の側断面図である。
図５に示すように、用紙ガイド６１は、側面視において略三角形の形状に形成されており、上方に突出した曲面状の頂部６４Ａと、頂部６４Ａから媒体セット面６０Ａまで前下がりに傾斜した前斜面部６４Ｂと、頂部６４Ａから手差口１５の奥側に向かって媒体セット面６０Ａまで傾斜した案内部６４Ｃとを有している。この案内部６４Ｃは、用紙ガイド６１上を乗り越えて記録媒体を搬送可能とする斜面で構成される。
手差口１５は、記録媒体が通過する通路部１５Ａと、通路部１５Ａの上端から用紙ガイド６１の側へ前上がりに傾斜した導入部１５Ｂとを有し、導入部１５Ｂの上端は、頂部６４Ａよりも上方に位置している。
ドットインパクトプリンター１０の前方側から手差口１５に挿入される記録媒体Ｓｃは、先端が前斜面部６４Ｂに乗り上げるようにして頂部６４Ａに達し、案内部６４Ｃに沿うようにして下り、通路部１５Ａに挿入される。また、記録媒体Ｓｃが案内部６４Ｃに完全に沿わなかった場合においても、案内部６４Ｃの下流側に導入部１５Ｂが設けられており、記録媒体Ｓｃの先端が導入部１５Ｂに沿って通路部１５Ａに案内されるため、確実に記録媒体Ｓｃを挿入できる。
【００３２】
図４に示すように、ドットインパクトプリンター１０は、読取可能範囲Ｔよりも幅広の記録可能範囲Ｐを有しており、間隔Ｌよりも大きな用紙幅を有する記録媒体Ｓｃは、手差口１５に挿入された状態では、用紙ガイド６１に重なることとなる。ドットインパクトプリンター１０においては、用紙ガイド６１が案内部６４Ｃを有し、用紙ガイド６１上を乗り越えるようにして記録媒体Ｓｃを搬送できるため、用紙ガイド６１に重なる幅を有する記録媒体Ｓｃであってもスムーズに搬送できる。
【００３３】
ここで、ドットインパクトプリンター１０による記録媒体Ｓｂの読み取り動作の概略を説明する。
まず、記録媒体Ｓｂが左端側の段部６２Ａと用紙ガイド６１との間に載置されるようにして手差口１５に挿入されると、ドットインパクトプリンター１０は媒体検出センサー４７によって記録媒体Ｓｂの挿入を検出し、第１駆動ローラー２２Ａを駆動する。
そして、記録媒体Ｓｂは、第１駆動ローラー２２Ａ及び第１従動ローラー２２Ｂにより搬送され、整列板２８に対し先端部が突き当てられて整列され、第２駆動ローラー２３Ａ及び第２従動ローラー２３Ｂによって、表面スキャナー１１１及び裏面スキャナー１１２の側に搬送される。この際、記録媒体Ｓｂが段部６２Ａと用紙ガイド６１とによって案内されるため、効果的に整列できる。さらに、整列動作時に用紙ガイド６１によって記録媒体Ｓｂの位置が規制され、記録媒体Ｓｂが他端側の段部６２Ｂの側に移動することが防止されるため、記録媒体Ｓｂを確実に読取可能範囲Ｔ内に搬送できる。
表面スキャナー１１１と裏面スキャナー１１２との間に入り込んだ記録媒体Ｓｂは、表面スキャナー１１１と裏面スキャナー１１２との間に狭持された状態で、搬送されながら連続的に表裏の面を読み取られる。読み取りが終了すると、搬送機構１００は逆回転され、記録媒体Ｓｂは段部６２Ａと用紙ガイド６１との間を通って手差口１５の側に排出される。
【００３４】
次に、ドットインパクトプリンター１０による記録媒体Ｓｃの記録動作の概略を説明する。
まず、記録媒体Ｓｃが段部６２Ａと段部６２Ｂとの間に、用紙ガイド６１を乗り越えるようにして挿入されると、ドットインパクトプリンター１０は媒体検出センサー４７によって記録媒体Ｓｃの挿入を検出し、第１駆動ローラー２２Ａを駆動する。
そして、記録媒体Ｓｃは、第１駆動ローラー２２Ａ及び第１従動ローラー２２Ｂにより搬送され、整列板２８に対し先端部が突き当てられて整列され、その後、記録ヘッド１８により記録される。記録が終了すると、搬送機構１００は逆回転され、記録媒体Ｓｃは手差口１５の側に排出される。
【００３５】
本第１の実施の形態では、媒体セット面６０Ａに用紙ガイド６１を設けたため、記録媒体Ｓｂを読取可能範囲Ｔ内に確実に搬送可能であり、さらに、用紙ガイド６１に案内部６４Ｃを設けたため、用紙ガイド６１が記録媒体Ｓｃの搬送を妨げることが無く、記録媒体Ｓｂ或いは間隔Ｌより大きな用紙幅の記録媒体Ｓｃをスムーズに搬送することができる。
すなわち、ドットインパクトプリンター１０では、記録媒体Ｓｂのように読取可能範囲Ｔと同等の幅の記録媒体、或いは記録媒体Ｓａのような読取可能範囲Ｔより幅狭の記録媒体を、表面スキャナー１１１及び裏面スキャナー１１２によって読み取る際には、用紙ガイド６１によって手差口１５の幅を規制して、記録媒体を確実に読取可能範囲Ｔ内に案内することができる。また、記録媒体Ｓｃのように読取可能範囲Ｔよりも幅広な記録媒体に記録ヘッド１８による記録を行う場合には、用紙ガイド６１を乗り越えて記録媒体を挿入することができる。
【００３６】
以上説明したように、本発明を適用した第１の実施の形態によれば、手差口１５の幅が用紙ガイド６１によって記録ヘッド１８の記録可能範囲Ｐよりも小さい幅に規制されるため、記録可能範囲Ｐよりも小さい所望の範囲に記録媒体Ｓｂを案内できる。さらに、用紙ガイド６１が有する案内部６４Ｃを乗り越えて記録媒体Ｓｃを挿入可能であるため、用紙ガイド６１に手差口１５の幅を規制されないようにして所望の位置に記録媒体Ｓｃを挿入することもできる。これにより、記録媒体が挿入される手差口１５の所望の範囲に記録媒体を案内すると共に、この範囲を超える位置に記録媒体を挿入することもできる。
また、手差口１５の幅が用紙ガイド６１によって搬送機構１００の搬送範囲Ｗよりも小さい幅に規制されるため、搬送範囲Ｗよりも小さい所望の範囲に記録媒体Ｓｂを案内できる。さらに、用紙ガイド６１が有する案内部６４Ｃを乗り越えて記録媒体Ｓｃを挿入可能であるため、用紙ガイド６１に手差口１５の幅を規制されないようにして所望の位置に記録媒体Ｓｃを挿入することもできる。これにより、記録媒体が挿入される手差口１５の所望の範囲に記録媒体を案内できると共に、この範囲を超える位置に記録媒体を挿入することもできる。
【００３７】
さらに、案内部６４Ｃが手差口１５の奥側に向かって下方に傾斜した斜面で構成され、記録媒体Ｓｃが斜面に沿うように案内されるため、記録媒体Ｓｃを用紙ガイド６１を乗り越えて手差口１５の奥側にスムーズに挿入できる。また、記録媒体Ｓｃが手差口１５から排出される際に案内部６４Ｃの斜面に沿うように排出されるため、記録媒体Ｓｃが用紙ガイド６１に引っ掛かることが無く、記録媒体Ｓｃをスムーズに排出できる。
さらにまた、用紙ガイド６１によって、手差口１５の幅が表面スキャナー１１１及び裏面スキャナー１１２の読取可能範囲Ｔに合わせて規制され、記録媒体Ｓｂが読取可能範囲Ｔに案内されるため、確実に記録媒体Ｓｂの情報を読み取りできる。
また、整列動作が記録媒体Ｓｂの後端が手差口１５から突出する位置で行われ、整列の際に用紙ガイド６１によって記録媒体Ｓｂの移動可能な範囲が規制されるため、記録媒体Ｓｂが整列動作の影響を受けて搬送されるべき位置からずれてしまうことを防止できる。
【００３８】
［第２の実施の形態］
以下、図５及び図６を参照して、本発明を適用した第２の実施の形態について説明する。この第２の実施の形態において、上記第１の実施の形態と同様に構成される部分については、同符号を付して説明を省略する。
第２の実施の形態は、上記第１の実施の形態における段部６２Ａの側に記録媒体の上面を案内する上面ガイド７１を設け、この上面ガイド７１に記録媒体を支持する支持部７２を設けたものである。
【００３９】
図６は、本発明の第２の実施の形態に係るドットインパクトプリンター７０の正面図である。
図６に示すように、ドットインパクトプリンター７０は、媒体挿入台６０及び用紙ガイド６１を備え、媒体挿入台６０の左端側の段部６２Ａの側には、上方に突出した支持部７２が設けられている。
支持部７２は、段部６２Ａから媒体セット面６０Ａと平行に用紙ガイド６１の側へ延びる板状の上面ガイド７１を備え、上面ガイド７１の上面に立設されている。この上面ガイド７１は、媒体セット面６０Ａとの間に所定の高さの空間Ｕが確保されるように配置され、この空間Ｕの高さは、ドットインパクトプリンター７０に挿入可能な記録媒体の内、最も板厚の厚い記録媒体が通過可能な高さに設定されている。すなわち、記録媒体は空間Ｕを通過可能であり、その上面を上面ガイド７１によって案内されて搬送される。
段部６２Ａと上面ガイド７１の先端との間の長さは、段部６２Ｂから用紙ガイド６１までの長さと同等である。
【００４０】
図５に２点鎖線で示すように、支持部７２は用紙ガイド６１と同様に側面視で略三角形の形状に形成されている。支持部７２は、上方に突出した曲面状の頂部７４Ａと、頂部７４Ａから上面ガイド７１の上面７１Ａまで前下がりに傾斜した前斜面部７４Ｂと、頂部７４Ａから手差口１５の奥側に向かって上面７１Ａまで傾斜した第２の案内部７４Ｃとを有している。第２の案内部７４Ｃは、支持部７２上を乗り越えて記録媒体を搬送可能とする斜面で構成される。
また、頂部７４Ａの高さは、用紙ガイド６１の頂部６４Ａの高さと略等しい高さに位置している。なお、図５では、用紙ガイド６１及び支持部７２を示す線の重複を避けるために支持部７２の輪郭線を用紙ガイド６１の内側に示したが、支持部７２と用紙ガイド６１の上部とは、略同一形状かつ略同一高さである。
【００４１】
ここで、ドットインパクトプリンター７０による記録媒体Ｓｂの読み取り動作の概略を説明する。
まず、記録媒体Ｓｂが、段部６２Ａと用紙ガイド６１との間に挿入されると共に、上面ガイド７１と媒体セット面６０Ａとの間に通されると、ドットインパクトプリンター７０は媒体検出センサー４７によって記録媒体Ｓｂの挿入を検出し、第１駆動ローラー２２Ａを駆動する。
そして、記録媒体Ｓｂは、第１駆動ローラー２２Ａ及び第１従動ローラー２２Ｂにより搬送され、整列板２８に対し先端部が突き当てられて整列され、第２駆動ローラー２３Ａ及び第２従動ローラー２３Ｂによって、表面スキャナー１１１及び裏面スキャナー１１２の側に搬送されて読み取られる。この際、用紙ガイド６１によって記録媒体Ｓｂの位置が規制されるため、記録媒体Ｓｂを確実に読取可能範囲Ｔ内に搬送でき、さらに、記録媒体Ｓｂの上面の位置を上面ガイド７１によって規制できるため、記録媒体Ｓｂの浮き上がりを防止でき、スムーズに搬送できる。
読み取りが終了すると、搬送機構１００は逆回転され、記録媒体Ｓｂは、段部６２Ａと用紙ガイド６１との間を通りつつ、上面ガイド７１に上面を案内されて手差口１５の側に排出される。
【００４２】
次に、ドットインパクトプリンター７０による記録媒体Ｓｃの記録動作の概略を説明する。
まず、記録媒体Ｓｃは、用紙ガイド６１及び支持部７２上に載置され、頂部６４Ａ、７４Ａの間に掛け渡されるようにしてセットされる。ドットインパクトプリンター７０は媒体検出センサー４７によって記録媒体Ｓｃの挿入を検出し、第１駆動ローラー２２Ａを駆動する。
そして、記録媒体Ｓｃは、第１駆動ローラー２２Ａ及び第１従動ローラー２２Ｂよって、用紙ガイド６１及び支持部７２を乗り越えるようにして搬送され、整列板２８に対し先端部が突き当てられて整列され、その後、記録ヘッド１８により記録される。記録が終了すると、搬送機構１００は逆回転され、記録媒体Ｓｃは空間Ｕ及び案内部６４Ｃを経て手差口１５の側に排出される。
【００４３】
本第２の実施の形態では、用紙ガイド６１に加えて、媒体挿入台６０の左端側に案内部６４Ｃと略同一高さを有する支持部７２を設けて、記録媒体Ｓｃの幅方向の両端部をそれぞれ支持するため、記録媒体Ｓｃを略水平に保った状態で搬送でき、記録媒体Ｓｃをスムーズに、かつ、真直ぐに搬送できる。
また、支持部７２を上面ガイド７１に立設し、支持部７２及び上面ガイド７１の下方に記録媒体Ｓｂを挿入可能な空間Ｕを確保したため、記録媒体Ｓｃを略水平に支持して支持部７２を乗り越えて搬送可能でありながら、記録媒体Ｓｂの挿入スペースを確保し、記録媒体Ｓｂの挿入位置を用紙ガイド６１で規制可能な構造を実現できる。
【００４４】
以上説明したように、本発明を適用した第２の実施の形態によれば、手差口１５の幅方向の右端側に用紙ガイド６１を設け、左端側に用紙ガイド６１の案内部６４Ｃと略同一高さで記録媒体Ｓｃが乗り越え可能な支持部７２を設けたため、記録媒体Ｓｃを幅方向に渡って同一高さで支持でき、記録媒体Ｓｃを略水平な状態で案内できる。このため、記録媒体Ｓｃをスムーズに搬送できる。
また、上面ガイド７１によって記録媒体Ｓｂを上方から押さえるため、記録媒体Ｓｂの浮き上がりを防止できる。さらに、支持部７２の下方の空間Ｕを通して記録媒体Ｓｂを挿入できるため、手差口１５の幅に影響を及ぼすことなく支持部７２を設けることができ、手差口１５の幅を大きくできる。従って、上面ガイド７１及び支持部７２の下方を通して記録媒体Ｓｂを挿入できると共に、支持部７２を乗り越えるようにして記録媒体Ｓｃを挿入することもできる。
【００４５】
以上、本発明の実施の形態について説明したが、本発明は、上記第１の実施の形態及び上記第２の実施の形態に限定されない。
上記実施の形態では、用紙ガイド６１を、媒体挿入台６０の幅方向の右端側に設けるもとして説明したが、本発明はこれに限定されるものではなく、用紙ガイドを媒体挿入台６０の幅方向に複数設けても良い。例えば、用紙ガイド６１に加え、用紙ガイド６１よりも媒体挿入台６０の中央側に用紙ガイド６１よりも高さが低い用紙ガイドを設けても良い。
また、上記実施の形態では、用紙ガイド６１は、読取可能範囲Ｔに記録媒体Ｓｂを案内する位置に設けられるものとして説明したが、本発明はこれに限定されるものではなく、例えば、ドットインパクトプリンター１０が表面スキャナー１１１及び裏面スキャナー１１２を有していない構成において、用紙ガイド６１を、記録ヘッド１８の記録可能範囲Ｐ内において記録可能範囲Ｐよりも狭い範囲に記録媒体Ｓｂを案内する位置に設けても良い。この場合においても、記録媒体Ｓｂの挿入位置を規制できると共に、用紙ガイド６１を乗り越えて記録媒体Ｓｃを搬送することもできる。
【００４６】
また、上記実施の形態では、用紙ガイド６１は、表面スキャナー１１１及び裏面スキャナー１１２の読取可能範囲Ｔに記録媒体Ｓｂを案内する位置に設けられるものとして説明したが、これに限らず、用紙ガイド６１は他の読取装置の読取可能範囲に合わせて設けても良く、例えば、磁気ヘッド３４の読取可能範囲に記録媒体を案内する位置に用紙ガイド６１を設けても良い。
さらに、本発明はドットインパクト式のプリンターに限らず、インクジェット式のプリンターや、感熱媒体を加熱して画像を記録するサーマルプリンターにおいても適用可能である。さらに、ドットインパクトプリンター１０のように独立したプリンターとして使用される機器に限らず、他の機器（ＡＴＭ（Ａｕｔｏｍａｔｅｄ  Ｔｅｌｌｅｒ  Ｍａｃｈｉｎｅ）やＣＤ（Ｃａｓｈ  Ｄｉｓｐｅｎｓｅｒ）等）に組み込まれたものであってもよく、多様な機器に適用可能である。
【符号の説明】
【００４７】
１０、７０…ドットインパクトプリンター（記録装置）、１５…手差口（挿入口）、１８…記録ヘッド（記録部）、３０…整列機構、６１…用紙ガイド（幅規制部）、６４Ａ…頂部、６４Ｃ…案内部、７１…上面ガイド、７２…支持部、７４Ｃ…第２の案内部、１００…搬送機構（搬送部）、１１１…表面スキャナー（読取部）、１１２…裏面スキャナー（読取部）、Ｐ…記録可能範囲、Ｓａ…記録媒体、Ｓｂ…記録媒体、Ｓｃ…記録媒体、Ｔ…読取可能範囲（読み取り可能範囲）、Ｗ…搬送範囲。
【図１】
2011032003.tif 000003
【図２】
2011032003.tif 000004
【図３】
2011032003.tif 000005
【図４】
2011032003.tif 000006
【図５】
2011032003.tif 000007
【図６】
2011032003.tif 000008